(57)【特許請求の範囲】
【請求項１】
マスク本体９９と、一対の耳にかけるためのつるＴと、ベルトＢと、一対の切込み線ＣＬと、中心線を通る山折り線Ｌ１と、第２の山折り線Ｌ２と、ベルトＢの両先頭部Ｂ０に設けられた一対の口ばしＫと、ベルトＢの中央上部に設けられた鼻当て部Ｎとが共に一体に結合してなる平面形状の衛生マスク１００において、マスク本体９９と一対の耳にかけるためのつるＴとは一体に結合してなり、点Ｂ１と点Ｂ１を結ぶ第２の山折り線Ｌ２はマスク本体９９とベルトＢとの境界線であり、点Ｃ１と点Ｃ２を結ぶ切込み線ＣＬは逆ハの字の斜め線を構成し、正面側から背面側に貫通してなり、（１）式を具備することを特徴とする平面形状の衛生マスク１００。
線ＬＬ１の長さ（ｃｍ）／線ＬＬ２の長さ（ｃｍ）＞１……（１）式
ここに、
線ＬＬ１は、点Ｂ１と点Ｃ１とを結ぶ線をいう。  
線ＬＬ２は、点Ｂ１と点Ｋ１とを結ぶ線をいう。
点Ｋ１は、ベルトＢと口ばしの両境界点のうち内側の点をいう。
点Ｃ１は、逆ハの字の斜め線を構成する切込み線ＣＬの端点のうち外側の点をいう。
【請求項２】
１対の切込み線ＣＬが２組又は３組以上の一対の切込み線ＣＬであることを特徴とする請求項１に記載された平面形状の衛生マスク１００。
【請求項３】
１対の切込み線ＣＬが２組又は３組以上の一対の切込み線ＣＬであって、切込み線ＣＬが相互に合同であり、線ＬＬ１も相互に合同であることを特徴とする請求項１〜２の何れかに記載された平面形状の衛生マスク１００。
【請求項４】
一対の切込み線ＣＬの外側に、１組又は２組以上の一対の第３の山折り線Ｌ３を設けたことを特徴とする請求項１〜３の何れかに記載された平面形状の衛生マスク１００。
【請求項５】
一対の切込み線ＣＬの内側に、１組又は２組以上の一対のフラップ切込み線ＣＬ２とフラップ谷折り線ＴＬを設けて、１組又は２組以上の一対のフラップＦを構成したことを特徴とする請求項１〜４の何れかに記載された平面形状の衛生マスク１００。
【請求項６】
一対の切込み線ＣＬ、フラップ切込み線ＣＬ２の両端に、切欠き円ｃが設けられてなることを特徴とする請求項１〜５の何れかに記載された平面形状の衛生マスク１００。
【請求項７】
請求項１〜６の何れかに記載された平面形状の衛生マスク１００において、山折り線Ｌ１及び第２の山折り線Ｌ２を山折りし、口ばしＫを設けた先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体形状にしたことを特徴とする立体形状の衛生マスク２００。
【請求項８】
請求項１〜６の何れかに記載された平面形状の衛生マスク１００において、山折り線Ｌ１及び第２の山折り線Ｌ２を山折りし、口ばしＫを設けた先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体マスクの形状にすることを特徴とする立体形状の衛生マスク２００の製造方法。
【発明の詳細な説明】
【技術分野】
【０００１】
本発明は、衛生マスクに関する。
【背景技術】
【０００２】
【発明の開示】
【０００３】
発明者は、従来技術の欠点に鑑み鋭意研究した結果、本発明を完成させた。
【先行技術文献】
【特許文献】
【０００４】
本願発明に係る平面形状の衛生マスク１００について、ＦＩ、キーワード検索を行ったところ、本件発明（請求項１〜８の何れかに記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
着用者が発する唾液等の飛沫を極力遮断しつつ、息苦しさを感じにくい衛生マスクを提供すると共に、耳掛け紐の耳に当たる部分に痛みを生ずることが防止された（平面形状又は立体形状の）衛生マスクを提供することである。
○本発明が解決しようとする第２課題
本発明が解決しようとする第２課題は、
マスク本体とつるを有する（平面形状又は立体形状の）衛生マスクにおいては、立体的な鼻当て部を別途用意して付加する必要があったが、かかる（平面形状又は立体形状の）衛生マスクにおいて、立体的な鼻当て部（眼鏡の鼻当て部に相当）を別途用意して付加する必要がない（平面形状又は立体形状の）衛生マスクを提供することである。
○本発明が解決しようとする第３課題
本発明が解決しようとする第３課題は、
立体形状の衛生マスクの製造方法において、平面形状の衛生マスクを製造する工程が殆どを占め、平面形状の衛生マスクを立体マスクの形状にする工程が殆どない製造方法であって、簡単かつ迅速に、かつ安価に製造する（平面形状又は立体形状の）衛生マスクを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜（右手系の）ＸＹＺ座標系について＞
本発明について、座標系は、右手系のＸＹＺ座標系を採用するものとする。
ＸＹＺ座標系は、原則として、以下のように定める。
Ｘ方向とは、正面から背面への方向（水平方向）をいう。
Ｙ方向とは、垂直方向（反重力方向）をいう。
Ｚ方向とは、Ｘに向かって左側から右側方向（水平方向）をいう。
そして、正面図においては、ＸＹＺ座標系は以下のようになる。
Ｘ方向とは、正面図においては、紙面視、紙面側から紙背側へ向かう方向（水平方向）をいう。
Ｙ方向とは、正面図においては、紙面視、下側から上側を向かう方向（垂直方向）をいう。
Ｚ方向とは、正面図においては、紙面視、左側から右側へ向かう方向（水平方向）をいう。
平面形状衛生マスク１００の重心Ｇを中心として、中心に近い側を内側とし、中心に遠い側を外側とする。
平面形状衛生マスク１００の重心Ｇを通るＹ方向（垂直方向）の線を中心線という。
また、正面図において、中心線から左側を左側といい、中心線から左側を左側という。
また、正面図において、上側部分を上部といい、下側部分を下部という
また、平面面において、中央部分を中央部といい、当該中央部の上側部分を中央上部という。
＊＊＊＊＊＊＊＊＊＊＊＊＊＊＊＊＊＊＊＊＊＊＊＊＊＊＊＊＊＊＊＊＊＊＊
＜「一対の●●■■」と「●●■■」と「Ｘ組の一対の●●■■」の関係＞
「一対の●●■■」とは、左右両側に１組ずつ配された「●●■■」のことをいう。
一方、「●●■■」とは、「一対の●●■■」の構成要素（左側又は右側の構成要素）である「●●■■」のことをいう。
さらに、「Ｘ組の一対の●●■■」とは、左右両側にＸ組ずつ配された「●●■■」のことをいう。
例えば、本発明では、「●●■■」の例として、切込み線ＣＬが例示される。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＜用語の説明＞
●マスク本体９９とは、花粉、ホコリなどの粒子が体内に侵入するのを抑制し、かぜなどの咳やクシャミの飛沫の飛散を抑制する（マスクの機能を発揮する）本体をいう。
●つるＴとは、耳に掛ける部材をいう。
●ベルトＢとは、ベルトＢの先頭部Ｂ０を、正面側から切込み線ＣＬに差込んで、平面形状の衛生マスク１００を立体マスクの形状に成形する左右対称の部材である。
●本発明に係る切込み線ＣＬとは、正面側から背面側に貫通してなる線であって、点Ｃ１と点Ｃ２を結ぶ逆ハの字の斜め線を構成する線いう。
口ばしＫを設けた先頭部Ｂ０を正面側から切込み線ＣＬに差込んで、切込み線ＣＬと口ばしＫを設けたベルトＢの先頭部Ｂ０が嵌合係止することにより、平面形状の衛生マスク１００を立体形状にした衛生マスク２００が提供された（図５、図１３）。
●フラップ切込み線ＣＬ２とは、正面側から背面側に貫通してなる線であって、点Ｄ１と点Ｄ１を結ぶ斜めに傾いたコの字の線をいう。フラップ切込み線ＣＬ２は、フラップＦを形成するための切込み線をいい、フラップ谷折り線ＴＬを谷折りすることにより開くようにしたものであって、通気をさらに良くするための開口部としての効果を奏する。
●本発明に係る山折り線Ｌ１とは、正面図において、折り目の線が手前側になるように折る線のことであって、点Ａ１と点Ａ１（点Ａ１と点Ａ１が、平面形状の衛生マスク１００の輪郭線上に有る。）を通る山折り線（中心線）をいう。
平面形状の衛生マスク１００の輪郭線上に有る中心線をいう。平面形状の衛生マスク１００を立体形状のマスクとするために必要である。
すなわち、山折り線Ｌ１及び第２の山折り線Ｌ２を山折りし、口ばしＫを設けた先頭部Ｂ０を正面側から切込み線ＣＬに差込んで、口ばしＫを設けた先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体形状にする。
●第２の山折り線Ｌ２とは、正面図において、折り目の線が手前側になるように折る線のことであって、点Ｂ１と点Ｂ１を結ぶマスク本体９９とベルトＢとの境界線（水平線）をいう。平面形状の衛生マスク１００を立体形状のマスクとするために必要である。
すなわち、山折り線Ｌ１及び第２の山折り線Ｌ２を山折りし、口ばしＫを設けた先頭部Ｂ０を正面側から切込み線ＣＬに差込んで、口ばしＫを設けた先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体形状にする。
●第３の山折り線Ｌ３とは、正面図において、折り目の線が手前側になるように折る線のことであって、点Ｅ１と点Ｅ１（点Ｅ１と点Ｅ１が、平面形状の衛生マスク１００の輪郭線上に有る。）を通る山折り線をいう。
●フラップＦとは、フラップ切込み線ＣＬ２の切込みにより平板を形成し、平板の一辺をフラップ谷折り線ＴＬとすると共に、谷折りすることにより開くようにしたものであって、通気をさらに良くするための開口部としての効果を奏する。
他者が付近にいるときは、フラップは閉のままとする。
他者が付近にいないとき、スポーツで呼吸が激しい場合には、フラップ谷折り線ＴＬを谷折りすることによってフラップＦを押し上げて、さらに外部の空気を取り入れ、また自ら吐いた息を排出する。
フラップ切込み線ＣＬ２を背面側からゆっくり押し上げて、フラップ谷折り線ＴＬを谷折りすることによって、開口部を形成して、通気が可能な状態にする。当該開口部は、ジョギング、サイクリング、各種スポーツに最適である。
●フラップ谷折り線ＴＬとは、正面図において、折り目の線が紙背側になるように折る線のことであって、フラップＦの構成要素であって、点Ｄ１と点Ｄ１を結ぶ斜めの線をいう。フラップ谷折り線ＴＬは、フラップＦを開にするための谷折り線をいい、フラップ谷折り線ＴＬを谷折りすることにより開くようにしたものであって、通気をさらに良くするための開口部としての効果を奏する。
なお、谷折り線とは、一般的には、折り目の線が内側に隠れてしまうように折る線のことである。
●鼻当て部Ｎとは、装着した時に、装着者の鼻根又は鼻背部に当節する部分をいう。すなわち、ベルトＢの輪郭線の中央部の付近をいう。
●衛生マスクとは、天然繊維・化学繊維の織編物または不織布を主な本体材料として、口と鼻を覆う形状で、花粉、ホコリなどの粒子が体内に侵入するのを抑制し、かぜなどの咳やクシャミの飛沫の飛散を抑制することを目的に使用される、薬事法に該当しない衛生用製品をいう。  
〇平面形状の衛生マスク１００とは、平面形状をした衛生マスクをいう。
〇立体形状の衛生マスク２００とは、立体形状をした衛生マスクをいう。
●点Ａ１、点Ａ１とは、山折り線Ｌ１（中心線）の両端の点をいう。
●点Ｂ１、点Ｂ１とは、第２の山折り線Ｌ２の両端の点をいう。
●点Ｃ１、点Ｃ２は、切込み線ＣＬの端点をいう。
点Ｃ１は、逆ハの字の斜め線である切込み線ＣＬの端点のうち外側の点をいう。
点Ｃ２は、逆ハの字の斜め線である切込み線ＣＬの端点のうち内側の点をいう。
●点Ｄ１、点Ｄ１とは、フラップ切込み線ＣＬ２の両端の点をいう。
●点Ｅ１、点Ｅ１とは、第３の山折り線Ｌ３の両端の点をいう。
●線ＬＬ１は、点Ｂ１と点Ｃ１とを結ぶ線をいう。  
●線ＬＬ２は、点Ｂ１と点Ｋ１とを結ぶ線Ｂ１Ｋ１をいう。
●先頭部Ｂ０とは、ベルトＢの先頭部分をいう。ベルトＢの先頭部Ｂ０には、口ばしＫが設けられている。
口ばしＫを設けた先頭部Ｂ０を正面側から切込み線ＣＬに差込んで、切込み線ＣＬと口ばしＫを設けた先頭部Ｂ０が嵌合係止することにより、平面形状の衛生マスク１００を立体形状にした衛生マスク２００が提供された。
●点Ｋ１とは、左右対称のベルトＢの先頭部Ｂ０と口ばしＫの境界点のうち内側にある点をいう。
点Ｋ１とは、左右対称のベルトＢの先頭部Ｂ０を切込み線ＣＬに差し込んで、切込み線ＣＬと口ばしＫを設けた先頭部Ｂ０が嵌合係止した場合に、復元力Ｐ（ｋｇ重）が口ばしＫに作用する点をいう。
その場合、点Ｃ１は、復元力Ｐ（ｋｇ重）に対する反力がマスク本体９９に作用する点になっている。
点Ｋ１と点Ｃ１とは一致し、両点間には作用反作用の法則が働く。すなわち、復元力Ｐ（ｋｇ重）が点Ｋ１に作用し、復元力Ｐ（ｋｇ重）の反力（−力Ｐ（ｋｇ重））が点Ｃ１に作用する。
●中心線とは、平面形状の衛生マスク１００の重心Ｇを通るＹ方向の線をいう。
●水平線とは、正面図において、Ｘ方向をいう。
●正面側から背面側に貫通するとは、切込み線ＣＬ、フラップ切込み線ＣＬ２が、正面側から背面側に貫通するスリットであることをいう。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＜請求項１に記載された（１）式の意義（図１、図３）＞
（１）式は、  線ＬＬ１（点Ｂ１と点Ｃ１とを結ぶ線）の長さ（ｃｍ）が、線ＬＬ２（点Ｂ１と点Ｋ１とを結ぶ線）の長さ（ｃｍ）よりも大きいことを示している。  
（１）式の数値限定は、平面形状の衛生マスク１００を立体形状にするための条件を記載したものである。  
線ＬＬ１の端点Ｂ１、Ｃ１と線ＬＬ２の端点Ｂ１、Ｋ１は、平面形状の衛生マスク１００から平面形状の衛生マスク１００を立体形状にする過程に、平面形状の衛生マスク１００の状態にあっても、平面形状の衛生マスク１００の状態にあっても、点Ｂ１と点Ｂ１、点Ｃ１と点Ｋ１は、一致する。
すなわち、線ＬＬ１と線ＬＬ２の両端は一致するが、途中の点は一致しない。
線ＬＬ１は、線ＬＬ２に比較して捩じれた状態で距離が長くなって、平面形状の衛生マスク１００から平面形状の衛生マスク１００を立体形状にすることができることを、発明者は鋭意試行錯誤を重ねて本発明を完成するに至った。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＜実施例１について＞
実施例１の発明とは、請求項３及び請求項４及び請求項５に記載された平面形状の衛生マスク１００を立体形状にした立体形状の衛生マスク２００をいう（図５〜図８、図１０、図１１）。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
マスク本体９９と、一対の耳にかけるためのつるＴと、ベルトＢと、一対の切込み線ＣＬと、中心線を通る山折り線Ｌ１と、第２の山折り線Ｌ２と、ベルトＢの両先頭部Ｂ０に設けられた一対の口ばしＫと、ベルトＢの中央上部に設けられた鼻当て部Ｎとが共に一体に結合してなる平面形状の衛生マスク１００において、マスク本体９９と一対の耳にかけるためのつるＴとは一体に結合してなり、点Ｂ１と点Ｂ１を結ぶ第２の山折り線Ｌ２はマスク本体９９とベルトＢとの境界線であり、点Ｃ１と点Ｃ２を結ぶ切込み線ＣＬは逆ハの字の斜め線を構成し、正面側から背面側に貫通してなり、（１）式を具備することを特徴とする平面形状の衛生マスク１００である。
線ＬＬ１の長さ（ｃｍ）／線ＬＬ２の長さ（ｃｍ）＞１……（１）式
ここに、
線ＬＬ１は、点Ｂ１と点Ｃ１とを結ぶ線をいう。  
線ＬＬ２は、点Ｂ１と点Ｋ１とを結ぶ線をいう。
点Ｋ１は、ベルトＢと口ばしの両境界点のうち内側の点をいう。
点Ｃ１は、逆ハの字の斜め線を構成する切込み線ＣＬの端点のうち外側の点をいう。
○第２の発明（請求項２に記載の発明）
上記の課題を解決するための第２の発明（請求項２に記載の発明）は、
１対の切込み線ＣＬが２組又は３組以上の一対の切込み線ＣＬであることを特徴とする請求項１に記載された平面形状の衛生マスク１００である。
○第３の発明（請求項３に記載の発明）
上記の課題を解決するための第３の発明（請求項３に記載の発明）は、
１対の切込み線ＣＬが２組又は３組以上の一対の切込み線ＣＬであって、切込み線ＣＬが相互に合同であり、線ＬＬ１も相互に合同であることを特徴とする請求項１〜２の何れかに記載された平面形状の衛生マスク１００である。
○第４の発明（請求項４に記載の発明）
上記の課題を解決するための第４の発明（請求項４に記載の発明）は、
一対の切込み線ＣＬの外側に、１組又は２組以上の一対の第３の山折り線Ｌ３を設けたことを特徴とする請求項１〜３の何れかに記載された平面形状の衛生マスク１００である。
○第５の発明（請求項５に記載の発明）
上記の課題を解決するための第５の発明（請求項５に記載の発明）は、
一対の切込み線ＣＬの内側に、１組又は２組以上の一対のフラップ切込み線ＣＬ２とフラップ谷折り線ＴＬを設けて、１組又は２組以上の一対のフラップＦを構成したことを特徴とする請求項１〜４の何れかに記載された平面形状の衛生マスク１００である。
○第６の発明（請求項６に記載の発明）
上記の課題を解決するための第６の発明（請求項６に記載の発明）は、
一対の切込み線ＣＬ、フラップ切込み線ＣＬ２の両端に、切欠き円ｃが設けられてなることを特徴とする請求項１〜５の何れかに記載された平面形状の衛生マスク１００である。
○第７の発明（請求項７に記載の発明）
上記の課題を解決するための第７の発明（請求項７に記載の発明）は、
請求項１〜６の何れかに記載された平面形状の衛生マスク１００において、山折り線Ｌ１及び第２の山折り線Ｌ２を山折りし、口ばしＫを設けた先頭部Ｂ０を正面側から切込み線ＣＬに差込んで、口ばしＫを設けた先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体形状にしたことを特徴とする立体形状の衛生マスク２００である。
○第８の発明（請求項８に記載の発明）
上記の課題を解決するための第８の発明（請求項８に記載の発明）は、
請求項１〜６の何れかに記載された平面形状の衛生マスク１００において、山折り線Ｌ１及び第２の山折り線Ｌ２を山折りし、口ばしＫを設けた先頭部Ｂ０を正面側から切込み線ＣＬに差込んで、口ばしＫを設けた先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体マスクの形状にすることを特徴とする立体形状の衛生マスク２００の製造方法である。
【発明の効果】
【０００７】
本発明に係る平面形状の衛生マスク１００は、上記のような特徴的構成要件から構成され、特徴的構成要件に応じた、以下のような本願発明特有の効果を奏する。
また、上記の各発明に応じた、上記のような特徴的構成要件から構成された平面形状の衛生マスク１００によれば、本願発明の課題を十分解消することができた。
○第１の発明の効果
第１の発明によれば、
マスク本体９９と、一対の耳にかけるためのつるＴと、ベルトＢと、一対の切込み線ＣＬと、中心線を通る山折り線Ｌ１と、第２の山折り線Ｌ２と、ベルトＢの両先頭部Ｂ０に設けられた一対の口ばしＫと、ベルトＢの中央上部に設けられた鼻当て部Ｎとが共に一体に結合してなる平面形状の衛生マスク１００において、マスク本体９９と一対の耳にかけるためのつるＴとは一体に結合してなり、点Ｂ１と点Ｂ１を結ぶ第２の山折り線Ｌ２はマスク本体９９とベルトＢとの境界線であり、点Ｃ１と点Ｃ２を結ぶ切込み線ＣＬは逆ハの字の斜め線を構成し、正面側から背面側に貫通してなり、（１）式を具備することを特徴とする平面形状の衛生マスク１００。
線ＬＬ１の長さ（ｃｍ）／線ＬＬ２の長さ（ｃｍ）＞１……（１）式
ここに、
線ＬＬ１は、点Ｂ１と点Ｃ１とを結ぶ線をいう。  
線ＬＬ２は、点Ｂ１と点Ｋ１とを結ぶ線をいう。
点Ｋ１は、ベルトＢと口ばしの両境界点のうち内側の点をいう。
点Ｃ１は、逆ハの字の斜め線を構成する切込み線ＣＬの端点のうち外側の点をいう。
という特徴的な構成要件により、本発明が解決しようとする第１課題〜第３課題を達成することができ、当業者予測不可能な顕著な効果を奏することができた。
○第２の発明の効果
第２の発明によれば、
１対の切込み線ＣＬが２組又は３組以上の一対の切込み線ＣＬであることという特徴的な構成要件により、本発明が解決しようとする第１課題〜第３課題を達成することができ、当業者予測不可能な顕著な効果を奏することができた。
○第３の発明の効果
第３の発明によれば、
１対の切込み線ＣＬが２組又は３組以上の一対の切込み線ＣＬであって、切込み線ＣＬが相互に合同であり、線ＬＬ１も相互に合同であることという特徴的な構成要件により、本発明が解決しようとする第１課題〜第３課題を達成することができ、当業者予測不可能な顕著な効果を奏することができた。
○第４の発明の効果
第４の発明によれば、
一対の切込み線ＣＬの外側に、１組又は２組以上の一対の第３の山折り線Ｌ３を設けたことという特徴的な構成要件により、本発明が解決しようとする第１課題〜第３課題を達成することができ、当業者予測不可能な顕著な効果を奏することができた。
○第５の発明の効果
第５の発明によれば、
一対の切込み線ＣＬの内側に、１組又は２組以上の一対のフラップ切込み線ＣＬ２とフラップ谷折り線ＴＬを設けて、１組又は２組以上の一対のフラップＦを構成したことという特徴的な構成要件により、本発明が解決しようとする第１課題〜第３課題を達成することができ、当業者予測不可能な顕著な効果を奏することができた。
○第６の発明の効果
第６の発明によれば、
一対の切込み線ＣＬ、フラップ切込み線ＣＬ２の両端に、切欠き円ｃが設けられてなることという特徴的な構成要件により、本発明が解決しようとする第１課題〜第３課題を達成することができ、当業者予測不可能な顕著な効果を奏することができた。
○第７の発明の効果
第７の発明によれば、
請求項１〜６の何れかに記載された平面形状の衛生マスク１００において、山折り線Ｌ１及び第２の山折り線Ｌ２を山折りし、口ばしＫを設けた先頭部Ｂ０を正面側から切込み線ＣＬに差込んで、口ばしＫを設けた先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体形状にしたことという特徴的な構成要件により、本発明が解決しようとする第１課題〜第３課題を達成することができ、当業者予測不可能な顕著な効果を奏することができた。
○第８の発明の効果
第８の発明によれば、
請求項１〜６の何れかに記載された平面形状の衛生マスク１００において、山折り線Ｌ１及び第２の山折り線Ｌ２を山折りし、口ばしＫを設けた先頭部Ｂ０を正面側から切込み線ＣＬに差込んで、口ばしＫを設けた先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、面形状の衛生マスク１００を立体マスクの形状にすることという特徴的な構成要件により、本発明が解決しようとする第１課題〜第３課題を達成することができ、当業者予測不可能な顕著な効果を奏することができた。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＜本発明に係る衛生マスクの説明＞  
本発明に係る衛生マスクは、メガネのつるのようなつるを有した衛生マスクである。
本発明に係る衛生マスクは、マスク本体９９と、一対の耳にかけるためのつるＴと、ベルトＢと、一対の切込み線ＣＬと、中心線を通る山折り線Ｌ１と、第２の山折り線Ｌ２と、ベルトＢの両先頭部Ｂ０に設けられた一対の口ばしＫと、ベルトＢの中央上部に設けられた鼻当て部Ｎとが共に一体に結合してなる平面形状の衛生マスク１００である。
本発明に係る衛生マスクをメガネ式マスク（メガネのつるのようなつるを有した衛生マスク）としたことにより、本発明に係る衛生マスクは、耳が痛くならず、長時間の装着も違和感を覚えないという効果を奏する。
下記装着手順（装着手順１〜装着む手順４）を経ることにより、本発明に係る衛生マスクを使用状態に供することができる。
＜装着手順１（ベルトによるサイズ調整）＞
ベルトＢの先頭部Ｂ０を指で持ち、ベルトＢの口ばしＫをサイズ調整のために３組の一対の切込み線（上段、中段、下段）の何れかに差し、ずらしながら押し込んで、立体形状のマスクに成形する。
ベルトＢ（先頭部Ｂ０、口ばしＫを含む。）の口ばしＫを、どの一対の切込み線（上段、中段、下段）に差し込むかによって、（１）緩める。（２）丁度よい。（３）きつく締める。の３段階のサイズ調整が可能である。
すなわち、（１）緩める場合はベルトＢの口ばしＫを一対の切込み線（上段）に差し込み、（２）丁度よい場合はベルトＢの口ばしＫを一対の切込み線（中段）に差し込み、（３）きつく締める場合はベルトＢの口ばしＫを調整切込み線３に差し込む。そして、ベルトＢの口ばしＫは、ベルトＢの一対の切込み線ＣＬ（下段）に差し込み誘導する他、切込み線（上段、中段、下段）の端点Ｃ１側と嵌合してベルトＢを本発明に係る衛生マスクに係止させる。
＜手順２（第３の山折り線Ｌ３（内側、外側）の何れかを折り曲げることによるサイズ調整）＞
さらに、上記の３段階調整に加えて、頬横の一対の第３の山折り線Ｌ３（内側、外側）の何れかを折り曲げることにより、さらに２段階のサイズ調整が可能である。すなわち、（１）緩める場合は一対の第３の山折り線Ｌ３（外側）を折り曲げることにより、（２）きつく締める場合は一対の第３の山折り線Ｌ３（内側）を折り曲げる。
＜装着手順３（フラップの開閉）＞
他者が付近にいるときは、フラップＦは閉のままとし、手順３は何もしない。
他者が付近にいないとき、スポーツで呼吸が激しい場合に本発明に係る衛生マスクを使用する場合は、鼻・口部のフラップＦ（上段、中段、下段）の全てを押し上げることにより、さらに外部の空気を取り入れ、また自ら吐いた息を排出する。
ここに、フラップＦ（上段、中段、下段）は、通気をさらに良くするための開口部である。
フラップＦ（上段、中段、下段）（フラップＦ（上段、中段、下段）の実線で表した輪郭線は、フラップ切込み線ＦＬである。）を背面側からゆっくり押し上げて、フラップＦ（上段、中段、下段）の点線（正面図ではフラップ谷折り線ＴＬを表している。）、開口部を形成して、通気が可能な状態にする。当該開口部は、ジョギング、サイクリング、各種スポーツに最適である。
＜装着手順４（手順終了）＞
以上により、最終的な立体的形状が成形され、本発明に係る衛生マスク（最終的な立体的形状の立体的マスク）を使用状態に供することができる。
本発明に係る「衛生マスク」は、特徴的な構成要件により、以下のような効果を有する。
［直接の飛沫をブロック］
エチケットマスクとして自らの飛沫、他者からの飛沫（浮遊している飛沫をのぞく。）をブロックすることができる。
（１）蒸れない
吐いた息がこもらないので、衛生マスクによる熱中症にはならない。メガネ、サングラスをかけたまま、本発明に係る「衛生マスク」を装着できる。そして、吐いた息は本発明に係る「衛生マスク」の上下の隙間より速やかに排出するようにし、メガネ部に行く量を減少させたので、メガネが曇りにくい。
（２）顔を圧迫しない
本発明に係る衛生マスクが接する部分は耳・鼻・頬の一部のみで、通常のマスクにあるゴムで引っ張られないので顔を圧迫されず快適である（衛生マスクが接する鼻の部分が鼻当て部である。）。
（３）１つのサイズで５段階のサイズ調整
鼻から伸びるベルトＢ（先頭部Ｂ０、口ばしＫを含む。）によって、３段階のサイズ調整が可能で、頬の横の２本の山折り線Ｌ３（内側、外側）を折り曲げることにより、さらに２段階の調整が可能。
（４）風にも飛ばない
自転車・ジョギングにも使用可能で、夜間の虫除けにもなる。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
【発明を実施するための最良の形態】
【０００８】
以下、本発明に係る、平面形状の衛生マスク１００に関する最良の実施形態について、図面を参照しながら説明する。
［図１］図１は、本発明に係る平面形状の衛生マスク１００を表す平面面である。図１には、一対の切込み線ＣＬ（３組合計６個）が表されているが、一対のフラップＦ、一対の第３の山折り線Ｌ３は表されていない。
［図２］図２は、本発明に係る平面形状の衛生マスク１００を表す背面図である。
［図３］図３は、本発明に係る平面形状の衛生マスク１００（実施例１）を表す平面面である。
［図４］図４は、本発明に係る平面形状の衛生マスク１００（実施例１）を表す背面面である。
［図５］図５は、平面形状の衛生マスク１００を立体形状にし、本発明に係る立体形状の衛生マスク２００を製造する状態を表す斜視図である。
平面形状の衛生マスク１００において、山折り線Ｌ１及び第２の山折り線Ｌ２を山折りし、口ばしＫを設けた（左右対称のベルトＢの）先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体形状にした立体形状の衛生マスク２００が表されている。
［図６］図６は、平面形状の衛生マスク１００を立体形状にした、本発明に係る立体形状の衛生マスク２００を表す斜視図である。
図６には、平面形状の衛生マスク１００において、山折り線Ｌ１及び第２の山折り線Ｌ２を山折りし、口ばしＫを設けた（左右対称のベルトＢの）先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体形状にした立体形状の衛生マスク２００が表されている。
［図７］図７は、一対のフラップＦ（３組合計６個）を持ち上げて開口部（３組合計６個）を形成した本発明に係る立体形状の衛生マスク１００（実施例１）を表す側面図である
［図８］図８は、一対のフラップＦ（３組合計６個）を持ち上げて開口部（３組合計６個）を形成した本発明に係る立体形状の衛生マスク１００（実施例１）を表す側面図である。図８には、一対の切込み線ＣＬ（３組合計６個）、一対のフラップＦ（３組合計６個）、一対の第３の山折り線Ｌ３（３組合計６個）が表されている。
［図９］図９は、本発明に係る平面形状の衛生マスク１００を折り畳んで、収納する状態を表すである。立体形状の衛生マスク２００は、口ばしＫを設けた先頭部Ｂ０を切込み線ＣＬから抜く等、平面形状の衛生マスク１００を立体形状にした逆の工程を採れば、立体形状の衛生マスク２００を平面形状の衛生マスク１００にすることができ、さらに、山折り線Ｌ１、一対の第３の山折り線を図９のように山折りすれば、コンパクトに収納できる。
［図１０］図１０は、本発明に係る平面形状の衛生マスク１００（フラップＦを閉じた状態）の使用状態を表す図面である。
［図１１］図１１は、本発明に係る平面形状の衛生マスク１００（フラップＦを開いた状態）の使用状態を表す図面である。
［図１２］図１２は、請求項６に記載された「切欠き円ｃが設けられてなること」を説明する図面である。
図１２の（Ａ）図は、一対の切込み線ＣＬの両端部に、切欠き円ｃが設けられてなることを表す平面面である。切欠き円ｃは、その周辺を切込み線ＣＬで囲まれてなり、首部を介してマスク本体９９と繋がっている。フラップ切込み線ＣＬ２、第２の山折り線Ｌ２の両端部にも、同様の切欠き円ｃが設けられている。図１２の（Ｂ）図は、一対の切込み線ＣＬの両端部に、貫通穴ｈが設けられてなることを表す平面面である。貫通穴ｈは、切欠き円ｃを、首部を切断して取り除くことにより、形成されたものである。図１２の（Ａ）図の切欠き円ｃは、首部を切断して取り除くことにより、図１２の（Ｂ）図の貫通穴ｈとなるので、図１２の（Ａ）図の切欠き円ｃと図１２の（Ｂ）図の貫通穴ｈは、同義である。
［図１３］図１３は、「ベルトＢ先頭部Ｂ０を切込み線ＣＬに差し込んで、口ばしＫを設けた先頭部Ｂ０が嵌合係止すること」を説明するための平面図である。切込み線ＣＬの両端に設けた切欠き円ｃはないものとする。このように設定しても一般性は失われない。ベルトＢの先頭部Ｂ０を、切込み線ＣＬに差し込めば、点Ｋ１と点Ｃ１は一致する。ベルトＢの先頭部Ｂ０には、復元力Ｐ（ｋｇ重）が残存し、復元力Ｐ（ｋｇ重）は、ベルトＢの先頭部Ｂ０の口ばしＫの点Ｋ１に作用する。点Ｋ１と点Ｃ１の両点間には作用反作用の法則が成立する。すると、復元力Ｐ（ｋｇ重）の反力が、マスク本体９９の点Ｃ１に作用する。そして、点Ｋ１と点Ｃ１は一致することから、復元力Ｐ（ｋｇ重）と復元力Ｐ（ｋｇ重）の反力は釣り合うことになり、立体形状の衛生マスク２００の立体形状は保持され、平面形状の衛生マスク１００に戻ろうとすることが妨げられる。
以下、本発明に係る平面形状の衛生マスク１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の平面形状の衛生マスク１００において、
マスク本体９９と、一対の耳にかけるためのつるＴと、ベルトＢと、一対の切込み線ＣＬと、中心線を通る山折り線Ｌ１と、第２の山折り線Ｌ２と、ベルトＢの両先頭部Ｂ０に設けられた一対の口ばしＫと、ベルトＢの中央上部に設けられた鼻当て部Ｎとが共に一体に結合してなる平面形状の衛生マスク１００において、マスク本体９９と一対の耳にかけるためのつるＴとは一体に結合してなり、点Ｂ１と点Ｂ１を結ぶ第２の山折り線Ｌ２はマスク本体９９とベルトＢとの境界線であり、点Ｃ１と点Ｃ２を結ぶ切込み線ＣＬは逆ハの字の斜め線を構成し、正面側から背面側に貫通してなり、（１）式を具備することを特徴とする平面形状の衛生マスク１００が開示されている。
線ＬＬ１の長さ（ｃｍ）／線ＬＬ２の長さ（ｃｍ）＞１……（１）式
ここに、
線ＬＬ１は、点Ｂ１と点Ｃ１とを結ぶ線をいう。  
線ＬＬ２は、点Ｂ１と点Ｋ１とを結ぶ線をいう。
点Ｋ１は、ベルトＢと口ばしの両境界点のうち内側の点をいう。
点Ｃ１は、逆ハの字の斜め線を構成する切込み線ＣＬの端点のうち外側の点をいう。
○第１の発明の効果
第１の発明によれば、
マスク本体９９と、一対の耳にかけるためのつるＴと、ベルトＢと、一対の切込み線ＣＬと、中心線を通る山折り線Ｌ１と、第２の山折り線Ｌ２と、ベルトＢの両先頭部Ｂ０に設けられた一対の口ばしＫと、ベルトＢの中央上部に設けられた鼻当て部Ｎとが共に一体に結合してなる平面形状の衛生マスク１００において、マスク本体９９と一対の耳にかけるためのつるＴとは一体に結合してなり、点Ｂ１と点Ｂ１を結ぶ第２の山折り線Ｌ２はマスク本体９９とベルトＢとの境界線であり、点Ｃ１と点Ｃ２を結ぶ切込み線ＣＬは逆ハの字の斜め線を構成し、正面側から背面側に貫通してなり、（１）式を具備することを特徴とする平面形状の衛生マスク１００。
線ＬＬ１の長さ（ｃｍ）／線ＬＬ２の長さ（ｃｍ）＞１……（１）式
ここに、
線ＬＬ１は、点Ｂ１と点Ｃ１とを結ぶ線をいう。  
線ＬＬ２は、点Ｂ１と点Ｋ１とを結ぶ線をいう。
点Ｋ１は、ベルトＢと口ばしの両境界点のうち内側の点をいう。
点Ｃ１は、逆ハの字の斜め線を構成する切込み線ＣＬの端点のうち外側の点をいう。
という特徴的な構成要件により、本発明が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の平面形状の衛生マスク１００において、
１対の切込み線ＣＬが２組又は３組以上の一対の切込み線ＣＬであることを特徴とする請求項１に記載された平面形状の衛生マスク１００が開示されている。
○第２の発明の効果
第２の発明によれば、
１対の切込み線ＣＬが２組又は３組以上の一対の切込み線ＣＬであることという特徴的な構成要件により、本発明が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の平面形状の衛生マスク１００において、
１対の切込み線ＣＬが２組又は３組以上の一対の切込み線ＣＬであって、切込み線ＣＬが相互に合同であり、線ＬＬ１も相互に合同であることを特徴とする請求項１〜２の何れかに記載された平面形状の衛生マスク１００が開示されている。
○第３の発明の効果
第３の発明によれば、
１対の切込み線ＣＬが２組又は３組以上の一対の切込み線ＣＬであって、切込み線ＣＬが相互に合同であり、線ＬＬ１も相互に合同であることという特徴的な構成要件により、本発明が解決しようとする第１課題〜第３課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の平面形状の衛生マスク１００において、
一対の切込み線ＣＬの外側に、１組又は２組以上の一対の第３の山折り線Ｌ３を設けたことを特徴とする請求項１〜３の何れかに記載された平面形状の衛生マスク１００。が開示されている。
○第４の発明の効果
第４の発明によれば、
一対の切込み線ＣＬの外側に、１組又は２組以上の一対の第３の山折り線Ｌ３を設けたことという特徴的な構成要件により、本発明が解決しようとする第１課題〜第３課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の平面形状の衛生マスク１００において、
一対の切込み線ＣＬの内側に、１組又は２組以上の一対のフラップ切込み線ＣＬ２とフラップ谷折り線ＴＬを設けて、１組又は２組以上の一対のフラップＦを構成したことを特徴とする請求項１〜４の何れかに記載された平面形状の衛生マスク１００が開示されている。
○第５の発明の効果
第５の発明によれば、
一対の切込み線ＣＬの内側に、１組又は２組以上の一対のフラップ切込み線ＣＬ２とフラップ谷折り線ＴＬを設けて、１組又は２組以上の一対のフラップＦを構成したことという特徴的な構成要件により、本発明が解決しようとする第１課題〜第３課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の平面形状の衛生マスク１００において、
左右対称の切込み線ＣＬ、フラップ切込み線ＣＬ２の両端に、切欠き円ｃが設けられてなることを特徴とする請求項１〜５の何れかに記載された平面形状の衛生マスク１００が開示されている。
上記の平面形状の衛生マスク１００において、
左右対称の切込み線ＣＬ、フラップ切込み線ＣＬ２の両端に、切欠き円ｃが設けられてなることという特徴的な構成要件により、本発明が解決しようとする第１課題〜第３課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の平面形状の衛生マスク１００において、
請求項１〜６の何れかに記載された平面形状の衛生マスク１００において、山折り線Ｌ１及び第２の山折り線Ｌ２を山折りし、口ばしＫを設けた先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体形状にしたことを特徴とする立体形状の衛生マスク２００が開示されている。
○第７の発明の効果
第７の発明によれば、
請求項１〜６の何れかに記載された平面形状の衛生マスク１００において、山折り線Ｌ１及び第２の山折り線Ｌ２を山折りし、口ばしＫを設けた先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体形状にしたことという特徴的な構成要件により、本発明が解決しようとする第１課題〜第３課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の平面形状の衛生マスク１００において、
請求項１〜６の何れかに記載された平面形状の衛生マスク１００において、山折り線Ｌ１及び第２の山折り線Ｌ２を山折りし、口ばしＫを設けた先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体マスクの形状にすることを特徴とする立体形状の衛生マスク２００の製造方法が開示されている。
○第８の発明の効果
第８の発明によれば、
請求項１〜６の何れかに記載された平面形状の衛生マスク１００において、山折り線Ｌ１及び第２の山折り線Ｌ２を山折りし、口ばしＫを設けた先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体マスクの形状にすることという特徴的な構成要件により、本発明が解決しようとする第１課題〜第３課題を達成することができ、当業者予測不可能な顕著な効果を奏することができた。
【図面の簡単な説明】
【０００９】
【図１】図１は、本発明に係る平面形状の衛生マスク１００を表す平面面である。図１には、一対の切込み線ＣＬ（３組合計６個）が表されているが、一対のフラップＦ、一対の第３の山折り線Ｌ３は表されていない。
【図２】図２は、本発明に係る平面形状の衛生マスク１００を表す背面図である。
【図３】図３は、本発明に係る平面形状の衛生マスク１００（実施例１）を表す平面面である。
【図４】図４は、本発明に係る平面形状の衛生マスク１００（実施例１）を表す背面図である。
【図５】図５は、平面形状の衛生マスク１００を立体形状にし、本発明に係る立体形状の衛生マスク２００を製造する状態を表す斜視図である。  平面形状の衛生マスク１００において、山折り線Ｌ１及び第２の山折り線Ｌ２を山折りし、切込み線ＣＬと口ばしＫを設けた（左右対称のベルトＢの）先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体形状にした立体形状の衛生マスク２００が表されている。
【図６】図６は、平面形状の衛生マスク１００を立体形状にした、本発明に係る立体形状の衛生マスク２００を表す斜視図である。  図６には、平面形状の衛生マスク１００において、山折り線Ｌ１及び第２の山折り線Ｌ２を山折りし、口ばしＫを設けた（左右対称のベルトＢの）先頭部Ｂ０を正面側から切込み線ＣＬに差込んで、点Ｋ１と点Ｃ１を一致させると共に、切込み線ＣＬと口ばしＫを設けた先頭部Ｂ０が嵌合係止することにより、平面形状の衛生マスク１００を立体形状にした立体形状の衛生マスク２００が表されている。
【図７】図７は、一対のフラップＦ（３組合計６個）を持ち上げて開口部（３組合計６個）を形成した本発明に係る立体形状の衛生マスク１００（実施例１）を表す側面図である
【図８】図８は、一対のフラップＦ（３組合計６個）を持ち上げて開口部（３組合計６個）を形成した本発明に係る立体形状の衛生マスク１００（実施例１）を表す側面図である。図８には、一対の切込み線ＣＬ（３組合計６個）、一対のフラップＦ（３組合計６個）、一対の第３の山折り線Ｌ３（３組合計６個）が表されている。
【図９】図９は、本発明に係る平面形状の衛生マスク１００を折り畳んで、収納する状態を表すである。立体形状の衛生マスク２００は、口ばしＫを設けた先頭部Ｂ０を切込み線ＣＬから抜く等、平面形状の衛生マスク１００を立体形状にした逆の工程を採れば、立体形状の衛生マスク２００を平面形状の衛生マスク１００にすることができ、さらに、山折り線Ｌ１、一対の第３の山折り線を図９のように山折りすれば、コンパクトに収納できる。
【図１０】図１０は、本発明に係る平面形状の衛生マスク１００（フラップＦを閉じた状態）の使用状態を表す図面である。
【図１１】図１１は、本発明に係る平面形状の衛生マスク１００（フラップＦを開いた状態）の使用状態を表す図面である。
【図１２】図１２は、請求項６に記載された「切欠き円ｃが設けられてなること」を説明する図面である。図１２の（Ａ）図は、一対の切込み線ＣＬの両端部に、切欠き円ｃが設けられてなることを表す平面面である。切欠き円ｃは、その周辺を切込み線ＣＬで囲まれてなり、首部を介してマスク本体９９と繋がっている。フラップ切込み線ＣＬ２、第２の山折り線Ｌ２の両端部にも、同様の切欠き円ｃが設けられている。図１２の（Ｂ）図は、一対の切込み線ＣＬの両端部に、貫通穴ｈが設けられてなることを表す平面面である。貫通穴ｈは、切欠き円ｃを、首部を切断して取り除くことにより、形成されたものである。図１２の（Ａ）図の切欠き円ｃは、首部を切断して取り除くことにより、図１２の（Ｂ）図の貫通穴ｈとなるので、図１２の（Ａ）図の切欠き円ｃと図１２の（Ｂ）図の貫通穴ｈは、同義である。
【図１３】図１３は、「ベルトＢ先頭部Ｂ０を切込み線ＣＬに差し込んで、切込み線ＣＬと口ばしＫを設けた先頭部Ｂ０が嵌合係止すること」を説明するための平面図である。切込み線ＣＬの両端に設けた切欠き円ｃはないものとする。このように設定しても一般性は失われない。ベルトＢの先頭部Ｂ０を、切込み線ＣＬに差し込めば、点Ｋ１と点Ｃ１は一致する。ベルトＢの先頭部Ｂ０には、復元力Ｐ（ｋｇ重）が残存し、復元力Ｐ（ｋｇ重）は、ベルトＢの先頭部Ｂ０の口ばしＫの点Ｋ１に作用する。点Ｋ１と点Ｃ１の両点間には作用反作用の法則が成立する。すると、復元力Ｐ（ｋｇ重）の反力が、マスク本体９９の点Ｃ１に作用する。そして、点Ｋ１と点Ｃ１は一致することから、復元力Ｐ（ｋｇ重）と復元力Ｐ（ｋｇ重）の反力は釣り合うことになり、立体形状の衛生マスク２００の立体形状は保持され、平面形状の衛生マスク１００に戻ろうとすることが妨げられる。
【符号の説明】
【００１０】
１００……平面形状の衛生マスク
２００……立体形状の衛生マスク
９９……マスク本体
Ｔ……つる
Ｂ……ベルト
Ｎ……鼻当て部
ＣＬ……切込み線
Ｌ１……山折り線
Ｌ２……第２の山折り線
Ｌ３……第３の山折り線
Ｂ……ベルト
Ｂ０……先頭部
Ｋ……口ばし
Ｆ……フラップ
ＣＬ……フラップ切込み線
ＴＬ……フラップ谷折り線
【要約】      （修正有）【課題】着用者が発する唾液等の飛沫を極力遮断しつつ、息苦しさを感じにくい衛生マスクを提供すると共に、耳掛け紐の耳に当たる部分に痛みを生ずることが防止された平面形状の衛生マスクを提供する。【解決手段】マスク本体９９と、一対のつるＴと、ベルトＢと、一対の切込み線ＣＬと、中心線を通る山折り線Ｌ１と、第２の山折り線Ｌ２と、ベルトＢの両先頭部Ｂ０に設けられた一対の口ばしＫと、ベルトＢの中央上部に設けられた鼻当て部とが共に一体に結合してなる平面形状の衛生マスクにおいて、マスク本体９９と一対のつるＴとは一体に結合してなり、点Ｂ１と点Ｂ１を結ぶ第２の山折り線Ｌ２はマスク本体９９とベルトＢとの境界線であり、点Ｃ１と点Ｃ２を結ぶ切込み線ＣＬは逆ハの字の斜め線を構成し、正面側から背面側に貫通してなる。【選択図】図５【図１】
0006912783.tif 000002
【図２】
0006912783.tif 000003
【図３】
0006912783.tif 000004
【図４】
0006912783.tif 000005
【図５】
0006912783.tif 000006
【図６】
0006912783.tif 000007
【図７】
0006912783.tif 000008
【図８】
0006912783.tif 000009
【図９】
0006912783.tif 000010
【図１０】
0006912783.tif 000011
【図１１】
0006912783.tif 000012
【図１２】
0006912783.tif 000013
【図１３】
0006912783.tif 000014